(57)【要約】      （修正有）【課題】蚊の浸入を阻止し、水が逆流したり滞留しても中スクリーンが外れる心配や破損する虞をなく、底の掃除に手間がかからない雨水ますを提供する。【解決手段】雨水ます１１では、排水管１８の途中にます本体１３を設置し、ます本体１３の上部１４に雨水を通す外スクリーン１５を取り付け、外スクリーン１５の下方に雨水を通す中スクリーン１６を配置し、また中スクリーンは、ます本体１３に掛止するとともに雨水を通すが蚊を通さない凹状の中スクリーン本体３２と、この中スクリーン本体の中央の開口部３３に嵌合した雨水を通すが蚊を通さない凹状の栓部材３４と、から構成する。【選択図】        図１
2004285651.tif 000002
【特許請求の範囲】
【請求項１】
排水管や排水溝の途中にます本体を設置し、このます本体の上部に外スクリーンを取り付け、外スクリーンの下方に中スクリーンを配置した雨水ますにおいて、
前記中スクリーンは、ます本体に掛止するとともに雨水を通すが蚊を通さない凹状の中スクリーン本体と、この中スクリーン本体の中央の開口部に嵌合した雨水を通すが蚊を通さない凹状の栓部材と、からなることを特徴とする雨水ます。
【発明の詳細な説明】
【０００１】
【発明の属する技術分野】
本発明は路上や庭に集まる雨水を排水管に流下させる雨水ます（「ます」に枡、桝、マスの字が充てられることがあるが、この明細書では「ます」と表記する。）に関する。
【０００２】
【従来の技術】
地中に埋設する排水管へ、地上の水を流入させるために適当な間隔で雨水ますを設ける。すなわち、雨水ますは地中と地上との連絡路となる。
夏場で雨が少なく、排水管に水が流れていないときに、雨水ますの底に若干の水が溜まることがある。この溜まり水に蚊が卵を産み付け、ぼうふらが発生し、蚊が大量に発生することがあり、その対策が必要となる。
【０００３】
この対策として、ますの内部に中蓋を設けて、蚊の発生や悪臭の飛散を防止することが知られている（例えば、特許文献１参照。）。
また、ますの内部に銅材を設け、銅の殺菌作用で蚊の発生を防止することが知られている（例えば、特許文献２参照。）。
【０００４】
【特許文献１】
特開２００２−２０１７０４公報  （第３頁、図１）
【特許文献２】
特開２０００−１５４５８９公報  （第２頁、図１）
【０００５】
以上の特許文献１、２を、図面を参照の上、詳しく説明する。
図７は従来の排水ますの説明図である（特許文献１の図１を写したもの。）。従来の排水ますＡは、ます本体１４の上にます蓋１を取り付け、内部に中蓋３（傾斜片６，６を有す。）を開放可能に取り付けたもので、雨水が一定量を超えて一定以上の重力になると巻きばね１１のばね力に抗して傾斜片６，６を開放し、降雨がないときは中蓋３の傾斜片６，６を閉じる。
【０００６】
すなわち、殆どの期間において中蓋が閉じているため、外からの蚊の浸入を防ぐことができる。蚊が浸入しなければ、ぼうふらが発生する虞がない。仮に、ぼうふらが発生したとしても、成虫となった蚊が中蓋３で閉じこめられるため、蚊の発生を効果的に防止することができ、且つ、臭気の漏洩も防止することができるというものである。
【０００７】
図８は従来の防蚊雨水ますの説明図である（特許文献２の図１を写したもの。）。
従来の雨水ます１０は、対向する内部側壁４１，４３の内部にそれぞれ角棒状ガイド２０，２０を取り付け、これらの角棒状ガイド２０，２０と内部側壁４２との間に板状銅部材３０を差し込んだもので、水が滞留する箇所に設けた板状銅部材３０の抗菌作用により、蚊が産み付けた卵を死滅させることができ、蚊の発生を防止することができるというものである。
【０００８】
【発明が解決しようとする課題】
しかし、上記図７に示す特許文献１の排水ますＡでは、傾斜片６，６が開いた際に蚊は中蓋３を通過することができ、少数ではあるが蚊が出入りする心配がある。
また、排水ますＡでは、雨水が増水した場合、排水管１３から逆流した雨水で中蓋３が破損する虞がある。
【０００９】
さらに、傾斜片６，６の上に泥や落ち葉などの塵が溜まると、溜まった泥の重さで傾斜片６，６は開き、排水ますＡの底に溜る。これらの塵や汚泥を排水ますＡの底から取り除く作業は手間がかかる。
【００１０】
上記図８に示す特許文献２の雨水ます１０は、板状銅部材３０によって排水に銅イオンが含まれて水質が変化するので、環境に悪影響を及ぼす心配がある。
【００１１】
そこで、本発明の目的は、蚊の出入りをより確実に抑え、破損の虞がなく、底の清掃に手間がかからない雨水ますを提供することにある。
【００１２】
【課題を解決するための手段】
上記目的を達成するために請求項１では、排水管や排水溝の途中にます本体を設置し、このます本体の上部に外スクリーンを取り付け、外スクリーンの下方に中スクリーンを配置した雨水ますにおいて、中スクリーンは、ます本体に掛止するとともに雨水を通すが蚊を通さない凹状の中スクリーン本体と、この中スクリーン本体の中央の開口部に嵌合した雨水を通すが蚊を通さない凹状の栓部材と、からなることを特徴とする。
【００１３】
雨水が流入すると、中スクリーンの雨水を通すが蚊を通さない孔から雨水を通し、雨水を排水管に流下させる。一方、蚊は外スクリーンを通って中スクリーンに達するが、中スクリーンの孔を通り抜けることはできず、中スクリーンで蚊の進入を阻止することができる。
【００１４】
また、中スクリーンは、凹状の中スクリーン本体と、この中スクリーン本体の中央の開口部に嵌合した凹状の栓部材と、からなるので、大雨などで排水管を通じて水が逆流すると、逆流した水の流量と圧力で栓部材は開口部から外れ、押し上げられる。その結果、開口部によって逆流した水を逃がすことができ、水が逆流したり滞留しても中スクリーンが外れる心配や破損する虞はなくなる。
【００１５】
凹状の中スクリーンによって中スクリーン本体上に泥や落ち葉などの塵は溜まり、雨水ますの底に溜まらないから、雨水ますを清掃するときに中スクリーンを取り外すだけでよく、雨水ますの底の汚泥を何回も掻き出す必要はなくなり、雨水ますの底の掃除に手間がかからない。
【００１６】
【発明の実施の形態】
本発明の実施の形態を添付図に基づいて以下に説明する。なお、図面は符号の向きに見るものとする。
図１は本発明に係る雨水ますの断面図であり、雨水ます１１は、土１２の中に配置したます本体１３と、ます本体１３の上部１４に嵌めた外スクリーン１５と、外スクリーン１５の下方に配置した中スクリーン１６とからなる。１８，１８はます本体１３の下部に接続した排水管を示す。
【００１７】
ます本体１３は、第１〜第４側辺（図２参照）２１〜２４と、第１〜第４側辺２１〜２４の下端に形成した底辺２５と、からなる。
外スクリーン１５は、格子部３１を有し、格子部３１で雨水を通す。
【００１８】
中スクリーン１６は、ます本体１３に掛止するとともに雨水を通すが蚊を通さない凹状の中スクリーン本体３２と、この中スクリーン本体３２の中央の開口部３３（図３参照）に嵌合した雨水を通すが蚊を通さない凹状の栓部材３４と、からなる。３５，３５は取っ手を示す。
【００１９】
中スクリーン本体３２は、第１〜第４傾斜辺（図２参照）４１〜４４を成形し、これらの第１〜第４傾斜辺（図２参照）４１〜４４に連ねて底辺４５を形成し、上縁に掛止部４６を形成したものである。
第１傾斜辺４１は、薄鋼板に孔４７・・・（・・・は複数を示す。以下同様。）を開けた板材である。
孔４７は、雨水を通すが蚊を通さない孔で、孔４７の直径を１．５ｍｍ以下に設定し、孔４７のピッチを所望の値に設定した。
第２〜第４傾斜辺（図２参照）４２〜４４は、第１傾斜辺４１と同様である。
【００２０】
底辺４５は、薄鋼板の中央に開口部３３を形成し、残りの部位に孔４８・・・（・・・は複数を示す。以下同様。）を開けた板材である。
孔４８は、雨水を通すが蚊を通さない孔で、孔４８の直径を１．５ｍｍ以下に設定し、孔４８のピッチを所望の値に設定した。
【００２１】
栓部材３４は、円錐状に本体５１を成形し、この本体５１の縁に掛止リング部５２を成形し、本体５１に孔５３（図３参照）を開け、本体５１の頂部５４に線部材５５を繋げ、この線部材５５にストッパ部材５６を取り付けたものである。具体的には、後述する。
【００２２】
図２は本発明に係る雨水ますの斜視図であり、雨水ます１１のます本体１３と、中スクリーン１６の中スクリーン本体３２および栓部材３４を示す。
中スクリーン本体３２は、既に説明したように、孔４７・・・を形成した第１〜第４傾斜辺（図２参照）４１〜４４と、孔４８・・・を形成した底辺４５と、ます本体１３に掛けるための掛止部４６と、からなる。Ｄは中スクリーン本体３２に形成したの開口部３３の直径を示す。
【００２３】
図３は本発明に係る雨水ますの栓部材の斜視図であり、栓部材３４は、前述したとおり、円錐状に成形して孔５３・・・を加工した本体５１と、本体５１の縁に形成した掛止リング部５２と、線部材５５で頂部５４に繋げたストッパ部材５６と、からなることを示す。
掛止リング部５２の外径は開口部３３の直径Ｄより大きい。
【００２４】
孔５３は、雨水を通すが蚊を通さない孔で、孔５３の直径を１．５ｍｍ以下に設定し、孔５３のピッチを所望の値に設定した。
栓部材３４の材質は、樹脂であり、例えば、ポリプロピレン（ＰＰ）またはスチレン／アクリロニトリル共重合体（ＡＳ）を用いる。
【００２５】
ストッパ部材５６は、第１鋼棒５７に第２鋼棒５８を取り付けたストッパ兼、錘であり、第１・第２鋼棒５７，５８の長さをＬに設定した。長さＬは開口部３３の直径Ｄより大きい。
線部材５５には、鎖を用いた。他には、例えば、布製のひも、樹脂製のひも、ピアノ線またはワイヤロープ（極細）でもよい。
【００２６】
以上に述べた雨水ますの作用を次に説明する。
図４は本発明に係る雨水ますの第１作用図である。
雨水ます１１の中スクリーン１６は、孔４７・・・，孔４８・・・を形成した凹状の中スクリーン本体３２と、この中スクリーン本体３２の中央に嵌合するとともに孔５３・・・を加工した凹状の栓部材３４と、からなるので、雨水６１が矢印▲１▼，▲１▼の如く流入すると、中スクリーン１６は、孔４７・・・，孔４８・・・，孔５３・・・から雨水６１を矢印▲２▼，▲２▼の如く通し、雨水６１を排水管１８，１８に流下させることができる。
【００２７】
また、中スクリーン１６は、孔４７・・・，孔４８・・・を形成した中スクリーン本体３２と、この中スクリーン本体３２の中央に嵌合するとともに孔５３・・・を加工した凹状の栓部材３４と、からなるので、外スクリーン１５を通って中スクリーン１６に達した蚊は中スクリーン１６の孔４７・・・，孔４８・・・，孔５３・・・を通り抜けることができず、中スクリーン１６で蚊の進入を阻止することができ、蚊の出入りをより確実に抑えることができる。
【００２８】
図５は本発明に係る雨水ますの第２作用図である。
大雨などで排水管１８，１８を通じて水が矢印▲３▼，▲３▼の如く逆流すると、逆流した水の流量と圧力で栓部材３４は中スクリーン本体３２の開口部３３から外れ、押し上げられるので、逆流した水を矢印▲４▼，▲４▼の如く逃がすことができ、水が逆流したり滞留しても中スクリーン１６が外れる心配や破損する虞はなくなる。
【００２９】
逆流した水の圧力で栓部材３４が中スクリーン本体３２の開口部３３から外れると、栓部材３４の頂部５４に線部材５５を介して取り付けたストッパ部材５６は中スクリーン本体３２の底辺４５に掛かって止まるので、栓部材３４は逆流した水に流されずに止まる。従って、逆流した際に、栓部材３４の紛失を防止することができる。
【００３０】
栓部材３４は、円錐状に本体５１を成形し、この本体５１の縁に掛止リング部５２を成形した形態なので、中スクリーン本体３２の開口部３３から外れても、逆流した水の圧力が低下すると、開口部３３に対して、円錐状の本体５１は位置決めを行い、自動的に開口部３３に嵌合することができる。つまり、簡単な構造で栓部材３４を通常の状態に戻すことができる。
【００３１】
図６は本発明に係る雨水ますの第３作用図である。
雨水ます１１を清掃する場合、まず、外スクリーン１５を取り外し、取っ手３５，３５を持ち上げることで、中スクリーン１６を矢印▲５▼の如く取り出し、引き続き、二点鎖線に示すように中スクリーン１６を反転して泥６３や塵を取り除く。従って、雨水ます１１の底の汚泥を何回も掻き出す必要がなく、手間がかからない。
【００３２】
また、雨水６１（図４参照）とともに泥や塵が流れ込むと、中スクリーン１６は、孔によって雨水６１から泥や塵を分離するので、雨水ます１１の底辺２５に泥や塵が溜まり難くなり、雨水ます１１の底の清掃に手間がかからない。
【００３３】
このように、図４の雨水ます１１の中スクリーン１６は、孔４７・・・，孔４８・・・を形成した凹状の中スクリーン本体３２と、この中スクリーン本体３２の中央の開口部に嵌合するとともに孔５３・・・を加工した凹状の栓部材３４と、からなるので、凹状の中スクリーン本体３２上に泥６３や落ち葉などの塵が溜まり、雨水ます１１の底には溜まらない。従って、雨水ます１１の底の清掃に手間がかからない。
【００３４】
尚、本発明の実施の形態に示した中スクリーン本体３２の形状を角錐状に形成したが、形状は任意であり、例えば、角柱状（箱形）の形状や円柱状の形状を採用することも可能である。
中スクリーン１６の底辺４５を一体に固定したが、底辺４５をヒンジを介して逆流した水の圧力を逃がすように取り付けることも可能である。
栓部材３４の形状や嵌合の構造は任意であり、例えば、形状を板にし、板状の蓋をヒンジを介して逆流した水の圧力が逃げるように取り付けることも可能である。
【００３５】
【発明の効果】
本発明は上記構成により次の効果を発揮する。
請求項１では、雨水ますの中スクリーンは、ます本体に掛止するとともに雨水を通すが蚊を通さない凹状の中スクリーン本体と、この中スクリーン本体の中央の開口部に嵌合した雨水を通すが蚊を通さない凹状の栓部材と、からなるので、外スクリーンを通って中スクリーンに達した蚊は中スクリーンの孔を通り抜けることができず、中スクリーンで蚊の進入を阻止することができ、蚊の出入りをより確実に抑えることができる。
【００３６】
また、中スクリーンは、凹状の中スクリーン本体と、この中スクリーン本体の中央の開口部に嵌合した凹状の栓部材と、からなるので、大雨などで排水管を通じて水が逆流すると、逆流した水の圧力で栓部材は開口部から外れ、押し上げられる。その結果、開口部で逆流した水を逃がすことができ、水が逆流したり滞留しても中スクリーンが外れる心配や破損する虞をなくすることができる。
【００３７】
さらに、中スクリーンは、孔を形成した凹状の中スクリーン本体と、この中スクリーン本体の中央の開口部に嵌合するとともに孔を加工した凹状の栓部材と、からなるので、凹状の中スクリーン本体上に泥や落ち葉などの塵は溜まり、雨水ますの底に溜まらない。その結果、雨水ますの底の汚泥を何回も掻き出す必要がなくなり、雨水ますの底の掃除に手間がかからない。
【図面の簡単な説明】
【図１】本発明に係る雨水ますの断面図
【図２】本発明に係る雨水ますの斜視図
【図３】本発明に係る雨水ますの栓部材の斜視図
【図４】本発明に係る雨水ますの第１作用図
【図５】本発明に係る雨水ますの第２作用図
【図６】本発明に係る雨水ますの第３作用図
【図７】従来の排水ますの説明図
【図８】従来の防蚊雨水ますの説明図
【符号の説明】
１１…雨水ます、１３…ます本体、１４…ます本体の上部、１５…外スクリーン、１６…中スクリーン、１８…排水管、３２…中スクリーン本体、３３…開口部、３４…栓部材、６１…雨水。
【図１】
2004285651.tif 000003
【図２】
2004285651.tif 000004
【図３】
2004285651.tif 000005
【図４】
2004285651.tif 000006
【図５】
2004285651.tif 000007
【図６】
2004285651.tif 000008
【図７】
2004285651.tif 000009
【図８】
2004285651.tif 000010